(57)【要約】【課題】植毛高さの異なるブリッスルの配置とブリッスルの傾倒角度を調整することにより、効率の良い歯間部の刷掃を可能にすると共に、歯間部における歯垢の除去効果を充分に発揮させることのできる歯ブラシを提供する。【解決手段】複数本のブリッスル１４ａ，１４ｂ，１４ｃを束ねてなる毛束１５ａ，１５ｂ，１５ｃが植毛台１１に複数植設されている歯ブラシ１０であって、植毛台１１の植毛面を中央帯状領域１６とこれの両側の一対の外側領域１７とに区画して、ブリッスルの先端が中央帯状領域１６上に位置する主ブリッスルを中央主ブリッスル、外側領域１７上に位置する主ブリッスルを外側主ブリッスルとした場合に、中央主ブリッスルの平均植毛高さが、各外側領域における外側主ブリッスルの平均植毛高さよりも高く、且つ主ブリッスルの一部又は全部が傾倒しており、全主ブリッスルの垂直方向に対する傾倒角度の平均が２．５〜１５度である。【選択図】　　　　図１
2004089471.tif 000002
【特許請求の範囲】
【請求項１】
複数本のブリッスルを束ねてなる毛束が植毛台に複数植設されている歯ブラシであって、
前記植毛台に植設された前記複数本のブリッスルの先端を平坦な面に当接させて前記植毛台の後側から３００ｇの荷重を垂直に負荷しつつ刷掃した際に前記平坦な面に先端が接触するブリッスルである主ブリッスルについて、前記植毛台の植毛面を歯ブラシの軸方向と平行な３ｍｍ幅の中央帯状領域とこれの両側の一対の外側領域とに区画して、ブリッスルの先端が前記中央帯状領域上に位置する主ブリッスルを中央主ブリッスル、前記外側領域上に位置する主ブリッスルを外側主ブリッスルとした場合に、
前記中央主ブリッスルの平均植毛高さが、前記各外側領域における外側主ブリッスルの平均植毛高さよりも高く、
且つ前記主ブリッスルの一部又は全部が傾倒しており、全主ブリッスルの垂直方向に対する傾倒角度の平均が２．５〜１５度である歯ブラシ。
【請求項２】
前記中央主ブリッスルの平均植毛高さが、各々の前記外側領域における外側主ブリッスルの平均植毛高さよりも０．１〜４．０ｍｍ高くなっている請求項１記載の歯ブラシ。
【発明の詳細な説明】
【０００１】
【発明の属する技術分野】
本発明は、複数本のブリッスルを束ねてなる毛束が植毛台に複数植設されている歯ブラシに関する。
【０００２】
【従来の技術及び発明が解決しようとする課題】
歯ブラシは、複数本のブリッスルを束ねてなる毛束を、植毛台に形成された複数の植毛孔に平線を打ち込んだり熱で融着させる方法等によって各々植設固定することにより形成されるものである。また、歯ブラシは、歯間部、歯面部、歯頸部等の歯の部位に応じた適切な刷掃を効率良く行って歯垢等を効果的に除去できるように、毛束の配置やブリッスルの毛先の形状等に様々な工夫がなされている。
【０００３】
一方、歯間部の刷掃を効率良く行える歯ブラシとしては、例えばブリッスルの植毛高さを異ならせて毛丈の長いブリッスルの毛先が歯間部に入り込み易くなるようにしたものが考えられるが、ブリッスルの植毛高さを歯ブラシの軸方向に異ならせても、歯ブラシの軸方向と垂直な方向においてはブリッスルの毛丈が同じであると、中央部分の領域のブリッスルの毛先を歯間部に入り込ませようとしても外側部分の領域のブリッスルに妨げられ、また外側部分の領域のブリッスルの毛先を歯間部に入り込ませようとしても外側にブリッスルが逃げて効率良く歯間部の歯垢を除去することができなかった。
【０００４】
また、歯ブラシの軸方向と垂直な方向に凸形の段差をつけただけの歯ブラシでは、中央部分の領域の毛丈の長いブリッスルが歯間部に多少は入りやすくなるが、段差が小さいと、外側領域の剛性が高く毛丈の短いブリッスルに支えられて歯間部の深くまで到達できなくなり、段差が大きいと、中央領域の毛丈の長いブリッスルが外側に逃げたり、コシが弱くなったりするため、どちらにしても歯間部における歯垢の除去効果を必ずしも充分に発揮することができなかった。
【０００５】
本発明は、植毛高さの異なるブリッスルの配置とブリッスルの傾倒角度を調整することにより、植毛されたブリッスルによる効率の良い歯間部の刷掃を可能にすると共に、歯間部における歯垢の除去効果を充分に発揮させることのできる歯ブラシを提供することを目的とする。
【０００６】
【課題を解決するための手段】
本発明は、複数本のブリッスルを束ねてなる毛束が植毛台に複数植設されている歯ブラシであって、前記植毛台に植設された前記複数本のブリッスルの先端を平坦な面に当接させて前記植毛台の後側から３００ｇの荷重を垂直に負荷しつつ刷掃した際に前記平坦な面に先端が接触するブリッスルである主ブリッスルについて、前記植毛台の植毛面を歯ブラシの軸方向と平行な３ｍｍ幅の中央帯状領域とこれの両側の一対の外側領域とに区画して、ブリッスルの先端が前記中央帯状領域上に位置する主ブリッスルを中央主ブリッスル、前記外側領域上に位置する主ブリッスルを外側主ブリッスルとした場合に、前記中央主ブリッスルの平均植毛高さが、前記各外側領域における外側主ブリッスルの平均植毛高さよりも高くなっている。また前記主ブリッスルの全部又は一部が傾倒しており、且つ全主ブリッスルの垂直方向に対する傾倒角度の平均が２．５〜１５度となっている。ここで、垂直方向に対する主ブリッスルの傾倒方向は特に限定されるものではなく、傾倒角度の平均は、垂直方向に対する傾倒角度の絶対値の平均を意味する。
【０００７】
そして、本発明の歯ブラシは、前記中央主ブリッスルの平均植毛高さが、各々の前記外側領域における外側主ブリッスルの平均植毛高さよりも０．１〜４．０ｍｍ高くなっていることが好ましい。
【０００８】
ここで、本願において、「主ブリッスル」は、図４（ａ），（ｂ）にモデル化して示すように、植毛台５０に植設された複数本のブリッスル５１の先端を平坦な面５２に当接させて植毛台５０の後側から３００ｇの荷重Ｐを垂直に負荷しつつ刷掃した際に、平坦な面５２に先端が接触するブリッスル５１ａを意味するものであり、３００ｇの荷重Ｐが垂直に負荷されて植毛台５０が変位ｓだけ移動してもその先端が平坦な面５２に当接しない、最も長いブリッスルと５１ａとの毛丈の段差ｄが変位ｓよりも大きいブリッスル５１ｂを除いて考える趣旨である。
【０００９】
また、本願において、中央主ブリッスルは、歯ブラシの軸方向と平行な３ｍｍ幅の中央帯状領域に植設されてその先端が当該中央帯状領域の上方に位置する主ブリッスルであって、毛束が中央帯状領域と外側領域との間の区画線に跨って植設されている場合には、当該区画線で分けて中央帯状領域側に配置された主ブリッスルを中央主ブリッスルとし、外側領域側に配置された主ブリッスルを外側主ブリッスルとするものである。
【００１０】
なお、中央帯状領域の幅を３ｍｍとしたのは、後述する歯垢除去率のモデル試験により、中央帯状領域における中央主ブリッスルと各外側領域における外側主ブリッスルとの平均植毛高さの差である凸型の内外段差等を統一した条件下で、中央帯状領域の幅を変化させつつ歯垢除去率に対するパラメータを調べた結果、中央帯状領域の幅を３ｍｍとすることによって歯垢除去率の変化が特に顕著に現れたことによるものである。
【００１１】
そして、本発明の歯ブラシによれば、中央主ブリッスルの平均植毛高さが、各外側領域における外側主ブリッスルの平均植毛高さよりも高くなっているので、外側主ブリッスルよりも毛丈の長い中央主ブリッスルの毛先が刷掃時に歯間部に容易且つスムーズに入り込むことになる。また傾倒方向によらない全主ブリッスルの傾倒角度の平均が２．５〜１５度となっているので、垂直荷重に対する歯ブラシの座屈強度がブリッスルが傾倒していない場合に比べて低くなり、歯ブラシ全体がより深く押し付けられて歯間部の深い箇所への毛先の到達が可能になる。したがって、これらの相乗的な作用により歯間部の歯垢の除去効果を充分に発揮することが可能になる。
【００１２】
また、傾倒方向によらない全主ブリッスルの垂直方向に対する傾倒角度の平均を２．５〜１５度とするのは、後述する歯垢除去率のモデル試験により、傾倒角度の平均を変化させつつ歯垢除去率を評価した結果、傾倒角度の平均が２．５〜１５度の範囲にあるときに、傾倒角度の平均が０度の歯ブラシよりも歯垢除去率が顕著に高くなったことによるものである。なお、傾倒角度の平均が１５度を超える場合には、歯ブラシの座屈強度が弱すぎて毛がつぶれた状態となり、毛先が歯間部に入り込まずに通過してしまうことにより、歯垢除去率がかえって低下することになる。
【００１３】
歯ブラシの座屈強度を低下させる方法としては、ブリッスルを傾倒させる方法以外に、ブリッスルを細くしたり長くしたり、或いは素材の弾性率を低くしたりして剛性を弱める方法が考えられるが、歯間部にブリッスルの毛先が到達した際に、剛性を弱める方法では歯垢をかき取る力が低下するが、本発明のブリッスルを傾倒させる方法によれば歯垢をかき取る力を保持することが可能になる。
【００１４】
なお、本発明によれば、中央ブリッスルの平均植毛高さが、各々の前記外側領域における外側ブリッスルの平均植毛高さよりも０．１〜４．０ｍｍ高くなるようにすることにより、歯垢除去効果を向上させるのに十分な段差を効率良く確保することが可能になる。凸型の内外段差が４．０ｍｍよりも大きいと、外側のブリッスルが短くなりすぎて、内側のブリッスルの外側へのはみ出しを阻止しにくくなり、歯垢除去効果をかえって低下させる場合がある。
【００１５】
【発明の実施の形態】
図１に示す本発明の好ましい第１実施形態に係る歯ブラシ１０は、把持部（図示せず）と植毛台１１とこれらを連結する首部１２とからなる歯ブラシ本体の植毛台１１に形成した複数の植毛孔１３に、複数本のブリッスル１４ａ，１４ｂ，１４ｃを束ねてなる毛束（タフト）１５ａ，１５ｂ，１５ｃを各々植毛（植設）することによって構成されている。
【００１６】
本第１実施形態の歯ブラシ１０によれば、歯ブラシ本体は、例えばポリプロピレン、ＡＢＳ樹脂等の合成樹脂からなる公知のもので、その植毛台１１の平坦な植毛面には、直径が１．２ｍｍの円形断面の植毛孔１３が植毛面の略全域に亘って縦横３２箇所に分散配置されている。これらの植毛孔１３には、図１において白丸で略示される第１毛束１５ａが６箇所に、黒丸で略示される第２毛束１５ｂが４箇所に、二重丸で略示される第３毛束１５ｃが２２箇所に各々植設されている。
【００１７】
また、各毛束１５ａ，１５ｂ，１５ｃを構成するブリッスル１４ａ，１４ｂ，１４ｃは、ナイロン等の合成樹脂からなる例えば６〜１０ｍｉｌの太さを有するフィラメント材であって、これを例えば十数本〜数十本束ねることによって各毛束１５ａ，１５ｂ，１５ｃが形成されている。
【００１８】
本第１実施形態によれば、植毛台１１の植毛面を歯ブラシ１０の軸方向Ｘと平行な一対の区画線１８によって３ｍｍ幅の中央帯状領域１６とこれの両側の一対の外側領域１７とに区画した際に、中央帯状領域１６には６箇所の第１毛束１５ａと４箇所の第２毛束１５ｂとが植設され、各外側領域１７には、各々１１所の第３毛束１５ｃが植設されることになる。なお、本第１実施形態によれば、中央帯状領域１６と外側領域１７との間の区画線１８に隣接して配置される第１毛束１５ａ、第２毛束１５ｂの周縁部に位置するブリッスル１４ａ，１４ｂの一部が、外側領域１７側にはみ出して植毛されている。
【００１９】
そして、本第１実施形態によれば、第１毛束１５ａは、太さが９ｍｉｌ（０．２２９ｍｍ）の第１ブリッスル１４ａを１６本束ねて構成されている。第１毛束１５ａは、垂直方向に対して１０度（＋１０度）の角度で歯ブラシ１０の軸方向Ｘの先端側（前方）に傾倒して植設されていると共に、各第１ブリッスル１４ａは植毛面から１１．０ｍｍの毛丈で植毛されている。また第２毛束１５ｂは、太さが１０ｍｉｌ（０．２５４ｍｍ）の第２ブリッスル１４ｂを１２本束ねて構成されている。第２毛束１５ｂは、垂直方向に対して１０度（＋１０度）の角度で歯ブラシ１０の軸方向Ｘの先端側に傾倒して植設されていると共に、各第２ブリッスル１４ｂは植毛面から１１．０ｍｍの毛丈で植毛されている。
【００２０】
さらに、第３毛束１５ｃは、太さが６ｍｉｌ（０．１５２ｍｍ）の第３ブリッスル１４ｃを３４本束ねて構成されている。第３毛束１５ｃは、垂直方向に対して５度（−５度）の角度で歯ブラシ１０の軸方向Ｘの後端側（後方）に傾倒して植設されていると共に、各第３ブリッスル１４ｃは植毛面から１０．０ｍｍの毛丈で植毛されている。なお、本第１実施形態によれば、植毛台１１の植毛面と垂直な方向から歯ブラシ１０の軸方向Ｘの先端側（前方）に傾倒する場合を（＋）、歯ブラシ１０の軸方向Ｘの後端側（後方）に傾倒する場合を（−）とする。
【００２１】
これらによって、本第１実施形態の歯ブラシ１０によれば、中央帯状領域１６に植毛されてその先端が当該中央帯状領域１６の上方に位置する第１ブリッスル１４ａと第２ブリッスル１４ｂとによる中央ブリッスルの平均植毛高さが、各外側領域１７に植毛されてその先端が当該外側領域１７の上方に位置する第３ブリッスル１４ｃ等による外側ブリッスルの平均植毛高さよりも略１．０ｍｍ高くなる。
【００２２】
また、本第１実施形態の歯ブラシ１０によれば、３００ｇの荷重を垂直に負荷しつつ刷掃した際に、植毛台１１が例えば約１．８ｍｍ植毛側に変位するため、植毛高さが中央ブリッスル１４ａ，１４ｂよりも１．０ｍｍ短い外側ブリッスル１４ｃまで平坦な面に接触することになる。したがって、各毛束１５ａ，１５ｂ，１５ｃ，１５ｄを構成するブリッスル１４ａ，１４ｂ，１４ｃ，１４ｄの全てが、植毛台１１に植設された複数本のブリッスルの先端を平坦な面に当接させて植毛台１１の後側から３００ｇの荷重を垂直に負荷しつつ刷掃した際に平坦な面に先端が接触するブリッスルである主ブリッスルを構成することになる。
【００２３】
さらに、本第１実施形態の歯ブラシ１０によれば、中央帯状領域１６に植毛される６箇所の第１毛束１５ａ、及び４箇所の第２毛束１５ｂの全てが垂直方向に対して１０度の角度で歯ブラシ１０の軸方向Ｘの先端側に傾倒して植設され、且つ外側領域１７に植毛される２２箇所の第３毛束１５ｃの全てが垂直方向に対して５度の角度で歯ブラシ１０の軸方向Ｘの後端側に傾倒して植設されていることにより、全主ブリッスル１４ａ，１４ｂ，１４ｃ，１４ｄの傾倒方向によらない垂直方向に対する傾倒角度の平均は６．６度ということになる。
【００２４】
そして、本第１実施形態の歯ブラシ１０によれば、植毛高さの異なる主ブリッスル１４ａ，１４ｂ，１４ｃの配置と主ブリッスル１４ａ，１４ｂ，１４ｃの傾倒角度を調整することにより、植毛された主ブリッスル１４ａ，１４ｂ，１４ｃによる効率の良い歯間部の刷掃を可能にすると共に、歯間部における歯垢の除去効果を充分に発揮させることが可能になる。
【００２５】
すなわち、本第１形態によれば、中央帯状領域１６における中央主ブリッスルの平均植毛高さが、各外側領域１７における外側主ブリッスルの平均植毛高さよりも高くなっているので、外側主ブリッスルよりも毛丈の長い中央主ブリッスルの毛先が刷掃時に歯間部に容易且つスムーズに入り込むことになる。また傾倒方向によらない全主ブリッスル１４ａ，１４ｂ，１４ｃ，１４ｄの傾倒角度の平均が２．５〜１５度となっているので、垂直荷重に対する歯ブラシ１０の座屈強度がブリッスルが傾倒していない場合に比べて低くなり、歯ブラシ１０全体がより深く押し付けられて歯間部の深い箇所への毛先の到達が可能になる。したがって、これらの相乗的な作用により歯間部の歯垢の除去効果を充分に発揮することが可能になる。
【００２６】
図２（ａ）及び（ｂ）は、本発明の好ましい第２実施形態に係る歯ブラシ２０を示すものであり、本第２実施形態に係る歯ブラシ２０は、把持部（図示せず）と植毛台２１とこれらを連結する首部２２とからなる歯ブラシ本体の植毛台２１に形成した複数の植毛孔２３ａ，２３ｂ，２３ｃ，２３ｄに、複数本のブリッスル２４ａ，２４ｂ，２４ｃ，２４ｄを束ねてなる毛束（タフト）２５ａ，２５ｂ，２５ｃ，２５ｄを各々植毛（植設）することによって構成されている。
【００２７】
また、本第２実施形態の歯ブラシ２０によれば、歯ブラシ本体は、上記第１実施形態の歯ブラシ１０と同様に、例えばポリプロピレン、ＡＢＳ樹脂等の合成樹脂からなる公知のものある。歯ブラシ２０の植毛台２１の平坦な植毛面には、これの略全域に亘って、歯ブラシ２０の軸方向Ｘと平行な短軸が０．８ｍｍ、これと垂直な長軸が３．０ｍｍのトラック円形状の第１植毛２３ａ穴が５箇所に、歯ブラシ２０の軸方向Ｘと平行な長軸が２．２ｍｍ、これと垂直な短軸が０．８ｍｍのトラック円形状の第２植毛孔２３ｂが１６箇所に形成されている。また長軸が１．５ｍｍ、短軸が０．８ｍｍのトラック円形状の第３植毛孔２３ｃが５箇所に、同じく長軸が１．５ｍｍ、短軸が０．８ｍｍのトラック円形状の第４植毛孔２３ｄが７箇所に形成されている。
【００２８】
そして、５箇所の第１植毛２３ａ穴には、図２（ａ）において陰線を描いて略示される第１毛束２５ａが、１６箇所の第２植毛２３ｂ穴には、歯ブラシ２０の軸方向Ｘに片寄せた丸を描いて略示される第２毛束２５ｂが、各々植毛されている。また５箇所の第３植毛孔２３ｃには、黒塗りで略示される第３毛束２５ｃが、７箇所の第４植毛孔２３ｄには、白塗りで略示される第４毛束２５ｄが、各々植毛されている。
【００２９】
また、本第２実施形態によれば、植毛台２１の植毛面を歯ブラシ２０の軸方向Ｘと平行な一対の区画線２８によって３ｍｍ幅の中央帯状領域２６とこれの両側の一対の外側領域２７とに区画した際に、中央帯状領域２６には、５箇所の第１毛束２５ａと５箇所の第３毛束２５ｃと１箇所の第４毛束２５ｄとが植毛され、各外側領域２７には、各々８箇所の第２毛束２５ｂと３箇所の第４毛束２５ｄとが植毛されることになる。なお、本第２実施形態によれば、中央帯状領域２６と外側領域２７との間の区画線２８に隣接して配置される第３毛束２５ｃ、第４毛束２５ｄは、その一部のブリッスル２４ｃ，２４ｄが、中央帯状領域２６側又は外側領域２７側にはみ出して植毛されている。
【００３０】
さらに、本第２実施形態によれば、植毛台２１の植毛面を歯ブラシ２０の軸方向Ｘと垂直な区画線２９で区画して植毛台２１の先端側領域３０と後端側領域３１とに区画した際に、先端側領域３０に植設された２箇所の第２毛束２５ｂと５箇所の第３毛束２５ｃと７箇所の第４毛束２５ｄは、垂直方向に対して５度（＋５度）の角度で歯ブラシ２０の軸方向Ｘの先端側（前方）に傾倒して植設されている。また後端側領域３１においては、中央帯状領域２６に植設された５箇所の第１毛束２５ａが垂直方向に対して１０度（＋１０度）の角度で歯ブラシ２０の軸方向Ｘの先端側（前方）に傾倒して植設されていると共に、外側領域２７に植設された各７箇所の第２毛束２５ｂは、傾倒することなく植毛台２１の植毛面に対して垂直に植設されている（図２（ｂ）参照）。
【００３１】
そして、第１毛束２５ａは、太さが９ｍｉｌ（０．２２９ｍｍ）の第１ブリッスル２４ａを３８本束ねて構成されており、各第１ブリッスル２４ａは植毛面から１１．５ｍｍの毛丈で植毛されている。また第２毛束２５ｂは、太さが７ｍｉｌ（０．１７８ｍｍ）の第２ブリッスル２４ｂを４８本束ねて構成されており、各第２ブリッスル２４ｂは植毛面から９．０〜１１．５ｍｍの毛丈で植毛されている。
【００３２】
さらに、第３毛束２５ｃは、太さが９ｍｉｌ（０．２２９ｍｍ）の第３ブリッスル２４ｃを１５本束ねて構成されており、各第３ブリッスル２４ｃは植毛面から１１．０〜１２．０ｍｍの毛丈（植毛台２１の先端側の第３毛束２５ｃを構成する第３ブリッスル２４ｃから順番に１１．５ｍｍ、１２．０ｍｍ、１１．５ｍｍ、１１．０ｍｍの毛丈）で植毛されている。さらにまた、第４毛束２５ｄは、太さが８ｍｉｌ（０．２０３ｍｍ）の第４ブリッスル２４ｄを１９本束ねて構成されており、各第４ブリッスル２４ｄは植毛面から１０．５〜１１．５ｍｍの毛丈（植毛台２１の先端側の第４毛束２５ｄを構成する第４ブリッスル２４ｄから順番に１１．５ｍｍ、１１．０ｍｍ、１０．５ｍｍの毛丈）で植毛されている。
【００３３】
したがって、本第２実施形態によれば、５箇所の第３毛束２５ｃと７箇所の第４毛束２５ｄとを合わせた毛束群全体の上端のブラシ面は、図２（ｂ）に示すように、植毛台２１の先端側から２列目の２つの第３毛束２５ｃ（毛丈１２．０ｍｍ）が最も高くなった、歯ブラシ２０の側方から視て山型の形状を形成している。
【００３４】
また、本第２実施形態によれば、上記第２毛束２５ｂは、図２（ａ）のＡ部にその上面図及び側面図を拡大して示すように、最も高い毛丈（１１．５ｍｍ）の８本の第２ブリッスル２４ｂから、最も低い毛丈（９．０ｍｍ）の第２ブリッスル２４ｂに亘って、先端形状が凹状の湾曲形状となるように第２ブリッスル２４ｂの毛丈を順次低くした状態で植毛されるものである。これによって、毛丈の長い方の２４本の第２ブリッスル２４ｂのみが、植毛台２１の後側から３００ｇの荷重を垂直に負荷しつつ刷掃した際にその先端が平坦な面に当接する主ブリッスルを構成することになる。
【００３５】
上述のように、本第２実施形態の歯ブラシ２０によれば、５箇所の第１毛束２５ａが垂直方向に対して１０度の角度で傾倒していると共に、２箇所の第２毛束２５ｂが垂直方向に対して５度の角度で傾倒しており、かつ５箇所の第３毛束２５ｃと７箇所の第４毛束２５ｄが垂直方向に対して５度の角度で傾倒している一方で、合計１４箇所の第２毛束２５ｂが傾倒することなく垂直に植設されているので、各毛束２５ａ，２５ｂ，２５ｃ，２５ｄを構成する全主ブリッスル１４ａ，１４ｂ，１４ｃ，１４ｄの傾倒方向によらない垂直方向に対する傾倒角度の平均は、６．０度となっている。
【００３６】
また、本第２実施形態によれば、中央帯状領域２６における中央主ブリッスルと各外側領域２７における外側主ブリッスルとの平均植毛高さの差である凸型の内外段差が０．６５ｍｍとなっているので、上述の傾倒角度の平均が６．０度となっていることと相俟って、上記第１実施形態の歯ブラシ１０と同様の作用効果を奏することになる。
【００３７】
なお、本発明は上記各実施形態に限定されることなく種々の変更が可能である。例えば、植毛台における植毛孔の形状や配置、各毛束を構成するブリッスルの太さ、本数等は上記各実施形態のものに限定されるものではない。
【００３８】
【実施例】
以下、実施例及び比較例により、本発明の歯ブラシをさらに詳細に説明するが、本発明はこれらに限定されるものではない。
【００３９】
〔実施例１，２〕
上記第１実施形態の歯ブラシ１０と同様の構成を有する歯ブラシを実施例１の歯ブラシとし、上記第２実施形態の歯ブラシ２０と同様の構成を有する歯ブラシを実施例２の歯ブラシとして、後述の歯垢除去率のモデル試験により、歯垢除去率の評価を行った。評価の結果を図５に示す。なお、上述のように、中央帯状領域における中央主ブリッスルと各外側領域における外側主ブリッスルとの平均植毛高さの差である凸型の内外段差は、実施例１では１．０ｍｍ、実施例２では０．６５ｍｍだった。また、傾倒方向によらない全主ブリッスルの垂直方向に対する傾倒角度の平均は、実施例１では６．６度、実施例２では６．０度だった。
【００４０】
〔比較例１〜３〕
市販品Ａ（商品名「Ｏｒａｌ−Ｂ　ｃｒｏｓｓａｃｔｉｏｎ〔ｓｏｆｔ　３５　ｃｏｍｐａｃｔ〕」Ｏｒａｌ−Ｂ　Ｌａｂｏｒａｔｏｒｉｅｓ社製）を比較例１の歯ブラシとし、市販品Ｂ（商品名「アクアフレッシュツイストクロス〔ふつう〕」スミスクライン・ビーチャム製薬社製）を比較例２の歯ブラシとし、市販品Ｃ（商品名「ＰＣクリニカ歯根ケア〔ふつう〕」ライオン社製）を比較例３の歯ブラシとした。各歯ブラシについて、中央帯状領域における中央主ブリッスルと各外側領域における外側主ブリッスルとの平均植毛高さの差である内外段差を算出すると共に、主ブリッスルの傾倒方向によらない垂直方向に対する傾倒角度の平均を算出し、後述の歯垢除去率のモデル試験により、歯垢除去率の評価を行った。評価の結果を図４に示す。なお、算出された内外段差は、比較例１では−０．５ｍｍ、比較例２では０．０ｍｍ、比較例３では＋０．７ｍｍだった。また、主ブリッスルの傾倒方向によらない垂直方向に対する傾倒角度の平均は、比較例１では１５度、比較例２では１０度、比較例３では０度だった。
【００４１】
〔歯垢除去率のモデル試験〕
図３に示すように、Ｒ４の曲面同士を向き合わせたアルミブロックによる歯間部モデル３０を作成し、この歯間部モデル３０の表面に歯垢モデルとしてビデオテープ磁性層３１を取り付けた。ビデオテープとして、西友プライベートブランドの「Ｓ’ＲＩＢＢＯＮ」スタンダードタイプ（１２０分、型番３Ｔ−１２０ＳＲ）」を使用した。作成した歯間部モデル３０に対して、ブラッシングマシーンを用いて実施例１，２の歯ブラシ、及び比較例１〜３の歯ブラシの各々による刷掃を行った。
【００４２】
刷掃条件は、荷重３００ｇ、速度１２０ｒｐｍ、振幅３０ｍｍ、回数１２０回とし、ハミガキとして研磨促進剤であるアパガードＭプラス（商品名、サンギ社製）を使用した。２πＲ×幅５ｍｍの領域を歯間部の評価領域３２をとし、刷掃後にビデオテープ磁性層３１を展開して、デジタルカメラで撮影すると共に画像解析した。画像解析によって、評価領域３２において磁性層が剥がれて白くなった部分の面積の比率を計算し、歯間部における歯垢除去率（％）とした。評価の結果を図５の各枠内に示す。
【００４３】
図５に示す評価結果によれば、本発明に係る実施例１，２の歯ブラシは、歯間部の歯垢の除去効果について、市販の比較例１〜３の歯ブラシと比較して極めて高い評価が得られることが判明する。
【００４４】
【発明の効果】
本発明の歯ブラシによれば、植毛高さの異なるブリッスルの配置とブリッスルの傾倒角度を調整することにより、植毛されたブリッスルによる効率の良い歯間部の刷掃を可能にすると共に、歯間部における歯垢の除去効果を充分に発揮させることができる。
【図面の簡単な説明】
【図１】本発明の第１実施形態に係る歯ブラシの要部を示す略示平面図である。
【図２】本発明の第２実施形態に係る歯ブラシの要部を示す（ａ）は略示平面図及び部分拡大図、（ｂ）は略示側面図である。
【図３】歯垢除去率のモデル試験の説明図である。
【図４】（ａ），（ｂ）は、植毛台の後側から３００ｇの荷重を垂直に負荷しつつ刷掃した際に、平坦な面に先端が接触する主ブリッスルの説明図である。
【図５】歯垢除去率のモデル試験の評価結果を示すチャートである。
【符号の説明】
１０，２０　歯ブラシ
１１，２１　植毛台
１２，２２　首部
１３　植毛孔
１４ａ，２４ａ　第１ブリッスル
１４ｂ，２４ｂ　第２ブリッスル
１４ｃ，２４ｃ　第３ブリッスル
１４ｄ，２４ｄ　第４ブリッスル
１５ａ，２５ａ　第１毛束
１５ｂ，２５ｂ　第２毛束
１５ｃ，２５ｃ　第３毛束
１５ｄ，２５ｄ　第４毛束
１６，２６　中央帯状領域
１７，２７　外側領域
１８，２８　区画線
２３ａ　第１植毛孔
２３ｂ　第２植毛孔
２３ｃ　第３植毛孔
２３ｄ　第４植毛孔
Ｘ　歯ブラシの軸方向
【図１】
2004089471.tif 000003
【図２】
2004089471.tif 000004
【図３】
2004089471.tif 000005
【図４】
2004089471.tif 000006
【図５】
2004089471.tif 000007